(57)【特許請求の範囲】
【請求項１】
先端に耳かき部（２１）が形成された棒状部（２２）を有する耳かき体本体（２０）と、
前記棒状部（２２）に添設され、前記棒状部（２２）の長手方向において該棒状部（２２）に対して相対的にスライド可能に設けられたスライダ（３０）と、
このスライダ（３０）の先端に設けられ、スライダ（３０）が前記耳かき部（２１）に向かってスライドした際、耳かき部（２１）との間に耳垢を挟むことができる挟持部（３１）と、を備えた耳かきであって、
前記長手方向に関し前記耳かき部（２１）と反対側において、一端が前記スライダ（３０）に連結され、他端が前記耳かき体本体（２０）に連結され、前記スライド方向と直交する方向に湾曲状に膨出し、該膨出部（４３）を押圧することで、長手方向に関する長さが変わる湾曲バネ部（４０）と、
前記長手方向に関し前記耳かき部（２１）と前記湾曲バネ部（４０）との間において、前記耳かき体本体（２０）またはスライダ（３０）に設けられ、両者間の相対的スライドを長手方向に亘ってガイドするガイド部（５０）と、
を備え、
湾曲バネ部（４０）と該湾曲バネ部（４０）に連結されるスライド側部材との連結部は、ヒンジ（６１）で連結されているとともに、
前記ガイド部（５０）および該ガイド部（５０）で案内されるスライダ（３０）または耳かき体本体（２０）の、長手方向と直交する断面形状は、長手方向軸線回りのガイド部（５０）と該ガイド部（５０）で案内されるスライダ（３０）または耳かき体本体（２０）との相対回転が不能な形状となっており、
前記湾曲バネ部（４０）の膨出部（４３）は前記棒状部（２２）よりも幅広に構成され、
前記スライダ（３０）の挟持部（３１）は、平面視およびスライド方向から見ていずれもフック状に形成されていることを特徴とする耳かき。
【発明の詳細な説明】
【技術分野】
【０００１】
本発明は、耳垢を挟んで取り出すことができる耳かきに関するものである。
【背景技術】
【０００２】
従来、例えば特許文献１に見られるように、
軸（１）の先端にお椀状の（３）を取り付け、適度の弾性の有る軸（２）の先端にお椀状の（４）を取り付け、通常状態では（３）と（４）が閉じており、（５）部分をつまむと（２）が伸び（４）が下がり（３）と（４）が開いた状態になるしくみの耳掻き器（耳かき）が知られている。
この耳掻き器によれば、二個のお椀状の物を開閉させる事により、
（ａ）耳あかをそれらではがしてとる作用。
（ｂ）耳あかを従来のようにかきだす作用。
（ｃ）耳あかを二個のお椀状の物で取り込み、離散を防ぐ作用。
が得られる。
【０００３】
しかし、この耳掻き器は、同文献の図２，図３から明らかなように、軸（２）が椀状体（３）に設けられた切り欠きで案内される構造となっているため、軸（２）および椀状体（４）の動きが不安定である。
したがって、操作しにくいという難点を有している。
【０００４】
また、従来、例えば特許文献２に見られるように、
空洞部３ａと該空洞部３ａと連通させたスライド用穴３ｂとを備えた柄部３と、柄部３に延設した支持杆２ｂを接続させた掻き取り部２ａを備えた耳垢掻き取り杆２と、支持杆２ｂの間を摺動自在として基端を柄部３の空洞部３ａに挿通させた内押し杆４と、内押し杆４に付設し柄部３のスライド用穴３ｂより突出させた可動用摘み部４ａとを備え、掻き取り部２ａは板状とすると共に縦断面は下方を手前に稍突出させた円弧状に形成し、可動用摘み部４ａを操作して掻き取り部２ａの内側と内押し杆４の先端とで耳垢Ａを挟み取るようにした耳垢取り器（耳かき）も知られている。
【０００５】
しかし、この耳垢取り器は、耳垢Ａを挟み取る際、可動用摘み部４ａをスライド方向（内押し杆４の軸線方向へ）へスライドさせる必要があるため、その操作がしにくいという難点を有している。
【先行技術文献】
【特許文献】
【０００６】
【特許文献１】実開平０５−０８８３９７号公報
【特許文献２】特開２００８−３６３６０号公報
【発明の概要】
【発明が解決しようとする課題】
【０００７】
本発明が解決しようとする課題は、耳垢を挟みとる際の操作がし易い耳かきを提供することである。
【課題を解決するための手段】
【０００８】
上記課題を解決するために本発明の耳かきは、
先端に耳かき部が形成された棒状部を有する耳かき体本体と、
前記棒状部に添設され、前記棒状部の長手方向において該棒状部に対して相対的にスライド可能に設けられたスライダと、
このスライダの先端に設けられ、スライダが前記耳かき部に向かってスライドした際、耳かき部との間に耳垢を挟むことができる挟持部と、を備えた耳かきであって、
前記長手方向に関し前記耳かき部と反対側において、一端が前記スライダに連結され、他端が前記耳かき体本体に連結され、前記スライド方向と直交する方向に湾曲状に膨出し、該膨出部を押圧することで、長手方向に関する長さが変わる湾曲バネ部と、
前記長手方向に関し前記耳かき部と前記湾曲バネ部との間において、前記耳かき体本体またはスライダに設けられ、両者間の相対的スライドを長手方向に亘ってガイドするガイド部と、
を備え、
湾曲バネ部と該湾曲バネ部に連結されるスライド側部材との連結部は、ヒンジで連結されているとともに、
前記ガイド部および該ガイド部で案内されるスライダまたは耳かき体本体の、長手方向と直交する断面形状は、長手方向軸線回りのガイド部と該ガイド部で案内されるスライダまたは耳かき体本体との相対回転が不能な形状となっており、
前記湾曲バネ部の膨出部は前記棒状部よりも幅広に構成され、
前記スライダの挟持部は、平面視およびスライド方向から見ていずれもフック状に形成されていることを特徴とする。
【０００９】
この耳かきによれば、耳かき体本体と湾曲バネ部とに指を掛けるようにして持ち、耳かき部にて耳垢を掻き取ることができる。
そして、湾曲バネ部の膨出部を押圧すると、湾曲バネ部は自身の弾性変形によって長手方向に関する長さが変わるので、それに応じてスライダと耳かき体本体の棒状部とが相対的にスライドし、耳かき部とスライダの挟持部とで耳垢を挟むことが可能となる。
したがって、必要に応じ、湾曲バネ部の膨出部を押圧操作することにより、耳かき部とスライダの挟持部とで耳垢を挟みとることができる。
この際、耳垢を挟みとるための操作は、湾曲バネ部における膨出部の押圧操作でたりるため、操作がし易いという効果が得られる。
【００１０】
また、湾曲バネ部と該湾曲バネ部に連結されるスライド側部材との連結部は、ヒンジで連結されているとともに、
前記ガイド部および該ガイド部で案内されるスライダまたは耳かき体本体の、長手方向と直交する断面形状は、長手方向軸線回りのガイド部と該ガイド部で案内されるスライダまたは耳かき体本体との相対回転が不能な形状となっているので、湾曲バネ部とスライド側部材との連結部がヒンジで連結されていることと、ガイド部とスライダまたは耳かき体本体との相対回転が不能であることとによって、耳垢を挟みとるための円滑で確実な挟み動作を得ることができる。
【００１２】
また、前記湾曲バネ部の膨出部は前記棒状部よりも幅広になっているので、湾曲バネ部における膨出部の押圧操作が一層やりやすくなる。
【図面の簡単な説明】
【００１３】
【図１】本発明に係る耳かきの一実施の形態を示す図で、（ａ）は平面図、（ｂ）は正面図、（ｃ）は図（ｂ）におけるｃ−ｃ断面図、（ｄ）は図（ｂ）におけるｄ−ｄ端面図。
【図２】図１（ａ）における２−２断面図。
【図３】使用例を示す斜視図。
【図４】作用説明正面図。
【図５】変形例の正面図。
【図６】（ａ）は他の実施の形態の正面図、（ｂ）はその作用説明正面図。
【図７】（ａ）は他の変形例の平面図、（ｂ）はその正面図。
【発明を実施するための形態】
【００１４】
以下、本発明に係る耳かきの実施の形態について図面を参照して説明する。なお、各図において、同一部分ないし相当する部分には、同一の符号を付してある。
【００１５】
図１、図２に示すように、この実施の形態の耳かき１０は、
先端に耳かき部２１が形成された棒状部２２を有する耳かき体本体２０と、
棒状部２２に添設され、棒状部２２の長手方向（図１における矢印Ｘ１，Ｘ２方向）において棒状部２２に対して相対的にスライド可能に設けられたスライダ３０と、
このスライダ３０の先端に設けられ、スライダ３０が前記耳かき部２１に向かってスライドした際、耳かき部２１との間に耳垢（図示せず。以下同じ）を挟むことができる挟持部３１とを備えている。
【００１６】
さらに、
この耳かき１０は、長手方向に関し耳かき部２１と反対側（矢印Ｘ２側）において、一端４１がスライダ３０に連結され、他端４２が耳かき本体２０に連結され、前記スライド方向（矢印Ｘ１，Ｘ２方向）と直交する方向（図１（ｂ）における矢印Ｙ１方向）に湾曲状に膨出し、該膨出部４３を押圧することで、長手方向に関する長さＬ（図２）が変わる湾曲バネ部４０と、
前記長手方向に関し耳かき部２１と湾曲バネ部４０との間において、耳かき体本体２０（または後述するようにスライダ３０）に設けられ、両者間の相対的スライドを長手方向に亘ってガイドするガイド部５０とを備えている。
【００１７】
この耳かき１０によれば、例えば図３に示すように、耳かき体本体２０と湾曲バネ部４０とに指Ｆを掛けるようにして持ち、耳かき部２１にて耳垢を掻き取ることができる。
そして、湾曲バネ部４０の膨出部４３を図１（ｂ）における矢印Ｙ２方向に押圧すると、図４に示すように湾曲バネ部４０は自身の弾性変形によって長手方向に関する長さＬがＬ１に変わるので、それに応じてスライダ３０と耳かき体本体２０の棒状部２２とが相対的にスライドし、耳かき部２１とスライダ３０の挟持部３１とで耳垢を挟むことが可能となる。
したがって、必要に応じ、湾曲バネ部４０の膨出部４３を押圧操作することにより、耳かき部２１とスライダ３０の挟持部３１とで耳垢を挟みとることができる。
この際、耳垢を挟みとるための操作は、湾曲バネ部４０における膨出部４３の押圧操作でたりるため、操作がし易いという効果が得られる。
なお、湾曲バネ部４０の膨出部４３への押圧を解除すると、スライダ３０は原位置に復帰する。
【００１８】
湾曲バネ部４０と該湾曲バネ部４０に連結されるスライド側部材（図１においてはスライダ３０）との連結部は、ヒンジ６１で連結されているとともに、図１（ｄ）に示すように、ガイド部５０および該ガイド部５０で案内されるスライダ３０（または後述するように耳かき体本体２０）の、長手方向と直交する断面形状は、長手方向軸線回りのガイド部５０と該ガイド部５０で案内されるスライダ３０との相対回転が不能な形状となっている。図示の形状は矩形であるが、三角形、５角形、６角形、楕円形等、両者の相対回転が不能な形状であれば、任意の形状を採用し得る。
【００１９】
このように構成すると、湾曲バネ部４０とスライダ３０との連結部がヒンジ６１で連結されていることと、ガイド部５０とスライダ３０との相対回転が不能であることとによって、湾曲バネ部４０の膨出部４３を押圧した際のスライダ３０のスライド動作が円滑、確実になる。したがって、耳垢を挟みとるための円滑で確実な挟み動作を得ることができる。
【００２０】
湾曲バネ部４０の膨出部４３は棒状部２２よりも幅広になっている。図１（ａ）において、膨出部４３の幅をＷ１で示す。
このように構成すると、耳かき操作および湾曲バネ部４０における膨出部４３の押圧操作が一層やりやすくなる。
【００２１】
この実施の形態では、耳かき本体２０における、湾曲バネ部４０との対向部２３の幅Ｗ２も、棒状部２２よりも幅広に形成してある。
このように構成すると、耳かき操作および湾曲バネ部４０における膨出部４３の押圧操作がさらにやりやすくなる。
【００２２】
耳かき１０の各部の材質は公知の適宜の材質を採用し得る。例えば、竹等の木材、合成樹脂、金属等を採用し得る。
耳かき体本体２０は、棒状部２２を含め全体として薄板状に構成されている。したがって、本願において、「棒状」には幅狭板状も含むものとする。
【００２３】
スライダ３０の挟持部３１は、図１（ａ）（ｃ）に示すように、平面視およびスライド方向から見ていずれもフック状に形成されている。
このように構成すると、フック形状の内側空間Ｓ１を通じて耳内および耳かき部２１の内側面２１ｂを見やすくなるので、耳かき作業がやりやすくなる。
【００２４】
この実施の形態では、耳かき体本体２０および湾曲バネ部４０は、金属または合成樹脂で一体的に構成し、湾曲バネ部４０の他端４２が耳かき本体２０に一体に連結された構成として、湾曲バネ部４０の他端４２と耳かき本体２０との連結部を、ピンセットの折り曲げ部と同様な構造とすることによって、構造の簡素化を図ったが、湾曲バネ部４０の他端４２と耳かき本体２０との連結部にはヒンジ構造を採用することも可能である。
【００２５】
また、図５に示すように、湾曲バネ部４０の他端４２と耳かき本体２０との連結部あるいは耳かき体本体２０の後端は後方に延設して、その延設部１１を指掛け部として構成することもできる。
【００２６】
図６は他の実施の形態を示す図である。
この実施の形態が上述した実施の形態と異なる点は、湾曲バネ部４０を耳かき本体２０側に設けて本体２０側をスライドさせるようにした点にある。
この実施の形態では、図６（ａ）に示すように、湾曲バネ部４０における膨出部４３を押圧して耳かき部２１を挟持部３１から離間させた状態で、耳かき部２１にて耳かき作業を行い、図６（ｂ）に示すように膨出部４３への押圧を解除して耳かき部２１を挟持部３１へ向けて移動させることで耳垢を挟みとることができる。
【００２７】
以上、本発明の実施の形態について説明したが、本発明は上記の実施の形態に限定されるものではなく、本発明の要旨の範囲内において適宜変形実施可能である。
この実施の形態では、ガイド部５０は、耳かき体本体２０と一体に、かつ筒状に構成したが、ガイド部５０は必ずしも筒状でなくても良く、耳かき体本体２０とスライダ３０との相対的スライドを長手方向に亘ってガイドできるように、例えば、図７に示すようにスライド方向に沿って前後２箇所（５１，５２）でガイドするようにしてもよい。
また、ガイド部５０は耳かき体本体２０にではなくスライダ側に設けてもよい。
【符号の説明】
【００２８】
１０：    耳かき
２０：    耳かき体本体
２１：    耳かき部
２２：    棒状部
３０：    スライダ
３１：    挟持部
４０：    湾曲バネ部
４１：    一端
４２：    他端
４３：    膨出部
５０：    ガイド部
６１：    ヒンジ
【図１】
0006404611.tif 000002
【図２】
0006404611.tif 000003
【図３】
0006404611.tif 000004
【図４】
0006404611.tif 000005
【図５】
0006404611.tif 000006
【図６】
0006404611.tif 000007
【図７】
0006404611.tif 000008